(57)【要約】      （修正有）【課題】小動物の進入に伴う小動物自身の押し上げによる閉込扉体の上向き開口揺動及び小動物の進入後の閉込扉体の自重による下向き閉口揺動により小動物をかご状本体内に捕獲することができる軽量で低コストの小動物捕獲器を提供する。【解決手段】捕獲器は、前面部材１ｄに閉込扉体３の上辺部が上枢着部３ａにより枢着され、閉込扉体は上枢着部を支点とする閉込扉体の自重による下向き揺動及び閉込扉体の前面部材への当接により進入口部２を内方から閉口する閉口位置から、進入口部からの小動物の進入により上枢着部を支点とする閉込扉体の内方への上向き揺動により進入口部を開口する開口位置３Ｋへと揺動自在に設けられて構成される。【選択図】図７
0003226141.tif 000002
【実用新案登録請求の範囲】
【請求項１】
底面部材、左右の側面部材、上面部材、前面部材及び後面部材の六個の部材からなり、該六個の部材はいずれも線材により網目状に形成されてなるかご状本体の前面部材に小動物が進入可能な進入口部が形成され、該進入口部を開閉可能な閉込扉体が設けられ、該閉込扉体は線材により網目状の四角枠状に形成され、上記前面部材に上記閉込扉体の上辺部が上枢着部により枢着され、該閉込扉体は該上枢着部を支点とする該閉込扉体の自重による下向き揺動及び上記閉込扉体の前面部材への当接により上記進入口部を内方から閉口する閉口位置から、該進入口部からの小動物の進入により該上枢着部を支点とする該閉込扉体の内方への上向き揺動により該進入口部を開口する開口位置へと揺動自在に設けられてなることを特徴とする小動物捕獲器。
【請求項２】
上記かご状本体の後面部材に小動物の取出口部が形成され、該取出口部を開閉可能な取出扉体が設けられ、該取出扉体は線材により網目状の四角枠状に形成され、上記底面部材に該取出扉体の下辺部が下枢着部により枢着され、該取出扉体は該下枢着部を支点とする外方への下向き揺動により上記取出口部を開口する開口位置から、該下枢着部を支点とする上向き揺動及び該取出扉体の後面部材への当接により該取出口部を外方から閉口する閉口位置へと揺動自在に設けられ、該取出扉体を該閉口位置に保持可能な保持部材を設けてなることを特徴とする請求項１記載の小動物捕獲器。
【請求項３】
上記かご状本体の上面部材の前部に持手部材を起倒自在に配設し、上記保持部材の上部に持手部を一体に形成してなることを特徴とする請求項１又は２記載の小動物捕獲器。
【考案の詳細な説明】
【技術分野】
【０００１】
本考案は、例えば、野良猫、野良ネズミ、野犬などの小動物を捕獲する際に用いられる小動物捕獲器に関するものである。
【背景技術】
【０００２】
従来、この種の小動物捕獲器として、かご状本体の前面に小動物が進入可能な進入口部が形成され、進入口部を開閉可能な閉込扉体が設けられ、閉込扉体を閉口動作させるバネ部材が配設され、閉込扉体を進入口部が開口する開口状態に保持すると共に小動物が餌に食い付くことにより閉込扉体を閉口作動させる構造のものが知られている。
【先行技術文献】
【特許文献】
【０００３】
【特許文献１】実用新案登録第３１５３２１８号
【考案の概要】
【考案が解決しようとする課題】
【０００４】
しかしながら上記従来構造の場合、上記バネ部材はかご状本体の左右の側面部材の外方に配置され、進入口部の左右辺部に左右一対のガイド杆が縦設され、ガイド杆間に押さえ杆が上下動自在に係合された構造となっており、それだけ、閉込扉体の開閉構造が複雑化し、製作コストの低減を図ることができないことがあるという不都合を有している。
【課題を解決するための手段】
【０００５】
本考案はこれらの不都合を解決することを目的とするもので、本考案のうちで、請求項１記載の考案は、底面部材、左右の側面部材、上面部材、前面部材及び後面部材の六個の部材からなり、該六個の部材はいずれも線材により網目状に形成されてなるかご状本体の前面部材に小動物が進入可能な進入口部が形成され、該進入口部を開閉可能な閉込扉体が設けられ、該閉込扉体は線材により網目状の四角枠状に形成され、上記前面部材に上記閉込扉体の上辺部が上枢着部により枢着され、該閉込扉体は該上枢着部を支点とする該閉込扉体の自重による下向き揺動及び上記閉込扉体の前面部材への当接により上記進入口部を内方から閉口する閉口位置から、該進入口部からの小動物の進入により該上枢着部を支点とする該閉込扉体の内方への上向き揺動により該進入口部を開口する開口位置へと揺動自在に設けられてなることを特徴とする小動物捕獲器にある。
【０００６】
又、請求項２記載の考案は、上記かご状本体の後面部材に小動物の取出口部が形成され、該取出口部を開閉可能な取出扉体が設けられ、該取出扉体は線材により網目状の四角枠状に形成され、上記底面部材に該取出扉体の下辺部が下枢着部により枢着され、該取出扉体は該下枢着部を支点とする外方への下向き揺動により上記取出口部を開口する開口位置から、該下枢着部を支点とする上向き揺動及び該取出扉体の後面部材への当接により該取出口部を外方から閉口する閉口位置へと揺動自在に設けられ、該取出扉体を該閉口位置に保持可能な保持部材を設けてなることを特徴とするものであり、又、請求項３記載の考案は、上記かご状本体の上面部材の前部に持手部材を起倒自在に配設し、上記保持部材の上部に持手部を一体に形成してなることを特徴とするものである。
【考案の効果】
【０００７】
本考案は上述の如く、請求項１記載の考案にあっては、閉込扉体の閉口状態において、小動物が進入口部から進入するに伴い、閉込扉体は小動物の当接により上枢着部を支点として閉口位置から上向き揺動し、かご状本体内への小動物の進入が完了すると、閉込扉体は開口位置から閉込扉体の自重により上枢着部を支点として下向き揺動し、上記閉込扉体が前面部材に当接して閉込扉体は閉口位置に位置し、上記進入口部は閉込扉体により内方から閉口され、進入口部の閉口により小動物をかご状本体内に捕獲することができ、小動物の進入に伴う小動物自身の押し上げによる閉込扉体の上向き開口揺動及び小動物の進入後の閉込扉体の自重による下向き閉口揺動により小動物をかご状本体内に捕獲することができ、捕獲構造を簡素化することができ、製作コストを低減することができ、さらに、かご状本体は、底面部材、左右の側面部材、上面部材、前面部材及び後面部材の六個の部材からなり、六個の部材はいずれも線材により網目状に形成され、閉込扉体は線材により網目状の四角枠状に形成されているから、かご状本体の内部を視認することができ、小動物の捕獲状態や餌の状態を外部から視認することができ、かご状本体の軽量化を図ることができる。
【０００８】
又、請求項２記載の考案にあっては、上記かご状本体の後面部材に小動物の取出口部が形成され、取出口部を開閉可能な取出扉体が設けられ、上記底面部材に取出扉体の下辺部が下枢着部により枢着され、取出扉体は下枢着部を支点とする外方への下向き揺動により取出口部を開口する開口位置から下枢着部を支点とする上向き揺動及び取出扉体の後面部材への当接により取出口部を外方から閉口する閉口位置へと揺動自在に設けられ、取出扉体を閉口位置に保持可能な保持部材を設けてなるから、取出扉体を保持部材により閉口位置に保持した状態において、保持部材を引き上げて保持を解除し、取出扉体を下枢着部を支点とする外方への下向き揺動により取出口部を開口することができ、かご状本体内の小動物を取出口部から取り出すことができ、捕獲時及び不使用時等において、取出扉体を閉口位置に保持することにより取出口部を閉口することができ、取出口部の開閉を容易に行うことができ、捕獲構造を簡素化することができ、製作コストを低減することができ、取出扉体は線材により網目状の四角枠状に形成されているから、かご状本体の内部を視認することができ、小動物の捕獲状態や餌の状態を外部から視認することができると共にかご状本体の軽量化を図ることができ、又、請求項３記載の考案にあっては、上記かご状本体の上面部材の前部に持手部材を起倒自在に配設し、上記保持部材の上部に持手部を一体に形成してなるから、持手部材及び保持部材の上部の持手部を握持し、かご状本体を持ち上げて運搬することができ、使用の利便性を向上することができる。
【図面の簡単な説明】
【０００９】
【図１】本考案の実施の形態例の全体斜視図である。
【図２】本考案の実施の形態例の全体側面図である。
【図３】本考案の実施の形態例の前部側断面図である。
【図４】本考案の実施の形態例の前面図である。
【図５】本考案の実施の形態例の開扉状態の前部側断面図である。
【図６】本考案の実施の形態例の開扉状態の前面図である。
【図７】本考案の実施の形態例の開扉状態の前部斜視図である。
【図８】本考案の実施の形態例の後部斜視図である。
【図９】本考案の実施の形態例の後部側断面図である。
【図１０】本考案の実施の形態例の後面図である。
【図１１】本考案の実施の形態例の開扉状態の後部側断面図である。
【図１２】本考案の実施の形態例の開扉状態の後面図である。
【図１３】本考案の実施の形態例の使用状態図である。
【考案を実施するための形態】
【００１０】
図１乃至図１３は本考案の実施の形態例を示し、図１、図２の如く、１はかご状本体であって、この場合、直方体の四角かご状に形成され、底面部材１ａ、左右の側面部材１ｂ・１ｂ、上面部材１ｃ、前面部材１ｄ及び後面部材１ｅの六個の部材からなり、六個の部材はいずれも線材Ｗにより網目状に形成され、前面部材１ｄに前面部材１ｄの線材Ｗを切欠して小動物Ｑが進入可能な進入口部２が形成され、進入口部２を開閉可能な閉込扉体３が設けられ、閉込扉体３は線材Ｗからなる網目状の四角枠状に形成されている。
【００１１】
この場合、上記前面部材１ｄに上記閉込扉体３の上辺部が３個の上枢着部３ａにより枢着され、図３、図４の如く、閉込扉体３は上枢着部３ａを支点とする閉込扉体３の自重による下向き揺動、及び、上記閉込扉体３の前面部材１ｄのゴム等の緩衝材３ｂ・３ｂへの当接により上記進入口部２を内方から閉口する閉口位置３Ｈから、図５、図６、図７の如く、進入口部２からの小動物Ｑの進入に伴い、小動物Ｑ自身の押し上げにより上枢着部３ａを支点とする閉込扉体３の内方への上向き揺動により進入口部２を開口する開口位置３Ｋへと揺動自在に設けられている。
【００１２】
又、この場合、図８、図１２の如く、上記かご状本体１の後面部材１ｅに後面部材１ｅの線材Ｗを切欠して小動物Ｑの取出口部４が形成され、取出口部４を開閉可能な取出扉体５が設けられ、取出扉体５は線材Ｗからなる網目状の四角枠状に形成され、この場合、上記底面部材１ａに取出扉体５の下辺部が複数個の下枢着部５ａ・・により枢着され、図１１、図１２の如く、取出扉体５は下枢着部５ａ・・を支点とする外方への下向き揺動により上記取出口部４を開口する開口位置５Ｋから、下枢着部５ａ・・を支点とする上向き揺動、及び、図８、図９、図１０の如く、取出扉体５の後面部材１ｅへの当接により取出口部４を外方から閉口する閉口位置５Ｈへと揺動自在に設けられ、取出扉体５を閉口位置５Ｈに保持可能な保持部材６を設けている。
【００１３】
この場合、図８の如く、上記保持部材６は線材Ｗの折曲により上横杆６ａ及び左右の縦杆６ｂ・６ｂからなる門構状に形成され、左右の縦杆６ｂ・６ｂの下端部にかご状本体１の底面部材１ａの線材Ｗに係止可能なＬ状の係止部６ｃ・６ｃを形成すると共に左右の縦杆６ｂ・６ｂ間にバネ部材６ｄを掛架し、バネ部材６ｄ及び係止部６ｃ・６ｃと線材Ｗとの係止により保持部材６を起立状態として取出扉体５を閉口位置５Ｈに保持し、又、図１１、図１２の如く、バネ部材６ｄに抗して左右の縦杆６ｂ・６ｂを拡開して係止部６ｃ・６ｃと線材Ｗとの係止を解除し、保持部材６を引き上げて保持部材６の保持を解除し、取出扉体５を開口位置５Ｋに下向き揺動し、取出口部４を開口するように構成している。
【００１４】
又、この場合、図１の如く、上記かご状本体１の上面部材１ｃの前部に横杆７ａ及び左右の縦杆７ｂ・７ｂからなる門構状の持手部材７が形成され、左右の縦杆７ｂ・７ｂの下端部にかご状本体１の上面部材１ｃの線材Ｗに起倒自在に係止可能な巻込部７ｃ・７ｃを形成し、上記保持部材６の上部に上横杆６ａとしての持手部８を一体に形成している。
【００１５】
この実施の形態例は上記構成であるから、図１、図２、図３、図４の閉込扉体３の閉口状態において、図１３の如く、かご状本体１の底面部材１ａ上に餌Ｎを配置し、小動物Ｑが餌Ｎを求めて進入口部２から進入するに伴い、図３の如く、閉込扉体３は小動物Ｑの当接により上枢着部３ａを支点として閉口位置３Ｈから上向き揺動し、そして、かご状本体１内への小動物Ｑの進入が完了すると、図５の如く、閉込扉体３は開口位置３Ｋから閉込扉体３の自重により上枢着部３ａを支点として下向き揺動し、上記閉込扉体３が前面部材１ｄの緩衝材３ｂ・３ｂに当接して閉込扉体３は閉口位置３Ｈに位置し、上記進入口部２は閉込扉体３により内方から閉口され、進入口部２の閉口により小動物Ｑをかご状本体１内に捕獲することができ、小動物Ｑの進入に伴う小動物Ｑ自身の押し上げによる閉込扉体３の上向き開口揺動及び小動物Ｑの進入後の閉込扉体３の自重による下向き閉口揺動により小動物Ｑをかご状本体１内に捕獲することができ、捕獲構造を簡素化することができ、製作コストを低減することができ、さらに、かご状本体１は、底面部材１ａ、左右の側面部材１ｂ・１ｂ、上面部材１ｃ、前面部材１ｄ及び後面部材１ｅの六個の部材からなり、六個の部材はいずれも線材Ｗにより網目状に形成され、閉込扉体３は線材Ｗにより網目状の四角枠状に形成されているから、かご状本体１の内部を視認することができ、小動物Ｑの捕獲状態や餌Ｎの状態を外部から視認することができ、かご状本体１の軽量化を図ることができる。
【００１６】
この場合、上記かご状本体１の後面部材１ｅに小動物Ｑの取出口部４が形成され、取出口部４を開閉可能な取出扉体５が設けられ、上記底面部材１ａに取出扉体５の下辺部が下枢着部５ａにより枢着され、取出扉体５は下枢着部５ａを支点とする外方への下向き揺動により取出口部４を開口する開口位置５Ｋから、下枢着部５ａを支点とする上向き揺動及び取出扉体５の後面部材１ｅへの当接により取出口部４を外方から閉口する閉口位置５Ｈへと揺動自在に設けられ、取出扉体５を閉口位置５Ｈに保持可能な保持部材６を設けてなるから、図９の如く、取出扉体５を保持部材６により閉口位置５Ｈに保持した状態において、保持部材６を引き上げて保持を解除し、図１１の如く、取出扉体５を下枢着部５ａを支点とする外方への下向き揺動により取出口部４を開口することができ、かご状本体１内の小動物Ｑを取出口部４から取り出すことができ、捕獲時及び不使用時等において、取出扉体５を閉口位置５Ｈに保持することにより取出口部４を閉口することができ、取出口部４の開閉を容易に行うことができ、捕獲構造を簡素化することができ、製作コストを低減することができ、取出扉体５は線材Ｗにより網目状の四角枠状に形成されているから、かご状本体１の内部を視認することができ、小動物Ｑの捕獲状態や餌Ｎの状態を外部から視認することができると共にかご状本体１の軽量化を図ることができ、又、この場合、上記かご状本体１の上面部材１ｃの前部に持手部材７を起倒自在に配設し、上記保持部材６の上部に持手部８を一体に形成してなるから、持手部材７及び保持部材６の上部の持手部８を握持し、かご状本体１を持ち上げて運搬することができ、使用の利便性を向上することができる。
【００１７】
尚、本考案は上記実施の形態例に限られるものではなく、上記かご状本体１、底面部材１ａ、側面部材１ｂ、上面部材１ｃ、前面部材１ｄ、後面部材１ｅ、進入口部２、閉込扉体３、上枢着部３ａ、取出口部４、取出扉体５、下枢着部５ａ、保持部材６、持手部材７、持手部８の形状や大きさ、構造、材質等は適宜変更して設計されるものである。
【００１８】
以上の如く、所期の目的を充分達成することができる。
【符号の説明】
【００１９】
Ｗ    線材
Ｑ    小動物
１    かご状本体
１ａ    底面部材
１ｂ    側面部材
１ｃ    上面部材
１ｄ    前面部材
１ｅ    後面部材
２    進入口部
３    閉込扉体
３ａ    上枢着部
３Ｈ    閉口位置
３Ｋ    開口位置
４    取出口部
５    取出扉体
５ａ    下枢着部
５Ｋ    開口位置
５Ｈ    閉口位置
６    保持部材
７    持手部材
８    持手部
【図１】
0003226141.tif 000003
【図２】
0003226141.tif 000004
【図３】
0003226141.tif 000005
【図４】
0003226141.tif 000006
【図５】
0003226141.tif 000007
【図６】
0003226141.tif 000008
【図７】
0003226141.tif 000009
【図８】
0003226141.tif 000010
【図９】
0003226141.tif 000011
【図１０】
0003226141.tif 000012
【図１１】
0003226141.tif 000013
【図１２】
0003226141.tif 000014
【図１３】
0003226141.tif 000015
【手続補正書】
【提出日】令和2年2月26日(2020.2.26)
【手続補正１】
【補正対象書類名】実用新案登録請求の範囲
【補正対象項目名】請求項３
【補正方法】変更
【補正の内容】
【請求項３】
上記かご状本体の上面部材の前部に持手部材を起倒自在に配設し、上記保持部材の上部に持手部を一体に形成してなることを特徴とする請求項２記載の小動物捕獲器。